(57)【要約】【課題】壁面にプラグの差込口を供え、比較的安価に異常時の電源遮断を実現できる異常時対応壁埋め込み型コンセントおよびこれを使用した配線システムを得ること。【解決手段】異常時対応壁埋め込み型コンセント１０は、地震の発生や異常温度によって円柱状金属体の突起３２Ａが錘の突起３７Ａとの接触を解除されると異常検出スイッチ２５を遮断する。これにより電源供給源となる交流の一方の電線に接続された第１の接続端子１２から得られた電源は第３の接続端子１４側に伝達されず、この第３の接続端子１４に接続される後続の通常のコンセントも同様に電気製品に電源を供給しない状態となる。これにより安価な配線システムを実現できる。【選択図】        図１
2004304964.tif 000002
【特許請求の範囲】
【請求項１】
電源を遮断すべき異常を検出する異常検出手段と、
この異常検出手段が異常を検出したとき入出力間の電気的な接続を絶つスイッチ手段と、
このスイッチ手段の入力側と接続され、電源の供給側に一端を接続された電線の他端を接続する入力側電線接続手段と、
前記スイッチ手段の出力側に接続され前記異常検出手段の異常検出時に電源の供給を絶つプラグ接続端子と、
前記入力側電線接続手段と電気的に接続され、後続のコンセントに電源を供給する第１の出力側電線接続手段と、
前記スイッチ手段の出力側に接続され、後続のコンセントに電源を供給する第２の出力側電線接続手段
とを具備することを特徴とする異常時対応壁埋め込み型コンセント。
【請求項２】
前記異常検出手段は所定以上の大きさの地震を検出する地震検出手段であることを特徴とする請求項１記載の異常時対応壁埋め込み型コンセント。
【請求項３】
前記異常検出手段は所定以上の大きさの地震およびコンセント内部の所定以上の温度のいずれかを検出する手段であることを特徴とする請求項１記載の異常時対応壁埋め込み型コンセント。
【請求項４】
電源を遮断すべき異常を検出する異常検出手段と、この異常検出手段が異常を検出したとき入出力間の電気的な接続を絶つスイッチ手段と、このスイッチ手段の入力側と接続され、電源の供給側に一端を接続された電線の他端を接続する入力側電線接続手段と、前記スイッチ手段の出力側に接続され前記異常検出手段の異常検出時に電源の供給を絶つプラグ接続端子と、前記入力側電線接続手段と電気的に接続され、後続のコンセントに電源を供給する第１の出力側電線接続手段と、前記スイッチ手段の出力側に接続され、後続のコンセントに電源を供給する第２の出力側電線接続手段とを備えた異常時対応壁埋め込み型コンセントと、
電源の供給側に一端を接続された電線の他端を接続する入力側電線接続手段と、この入力側電線接続手段と接続されたプラグ接続端子と、前記入力側電線接続手段と電気的に接続され、後続のコンセントに電源を供給する出力側電線接続手段とを備えた通常時対応壁埋め込み型コンセントと、
前記異常時対応壁埋め込み型コンセントの前記第２の出力側電線接続手段と前記通常時対応壁埋め込み型コンセントの前記入力側電線接続手段とを接続した導電性部材
とを具備することを特徴とする配線システム。
【請求項５】
前記通常時対応壁埋め込み型コンセントの前記出力側電線接続手段と他の通常時対応壁埋め込み型コンセントの入力側電線接続手段とを接続した導電性部材を更に具備することを特徴とする請求項４記載の配線システム。
【請求項６】
前記異常検出手段は地震についての検出手段であり、前記異常時対応壁埋め込み型コンセントは異なった震度に対してそれぞれ用意されており、より震度の大きな地震で異常の検出を行う異常検出手段を備えた異常時対応壁埋め込み型コンセントの前記第２の出力側電線接続手段とこれよりも震度の小さな地震で異常の検出を行う異常検出手段を備えた異常時対応壁埋め込み型コンセントの前記入力側電線接続手段とが直接あるいは前記通常時対応壁埋め込み型コンセントを介して接続されていることを特徴とする請求項４記載の配線システム。
【発明の詳細な説明】
【０００１】
【発明の属する技術分野】
本発明は屋内配線を行うための壁埋め込み型コンセントおよびこのような壁埋め込み型コンセントを使用した配線システムに係わり、特に地震等の異常を検出して電気器具の安全を確保するようにした異常時対応壁埋め込み型コンセントおよび配線システムに関する。
【０００２】
【従来の技術】
地震大国である我が国では地震によって多くの被害が発生している。たとえば１９９５年１月１７日に発生した阪神淡路大震災がその一例である。この地震で約６４００名の命が失われている。この地震では多くの地点で火災が発生した。この火災は地震の発生直後よりもその後の電力供給が再開した時点で多く発生したと言われている。コンセントに接続したままの電気ストーブや発熱部を有するその他の電気製品が家具によって押し付けられたり家財の間に挟まれた状態となった場合が多い。この状態で、ある電気製品は電源が勝手に入ってしまい、またある電気製品は転倒時の安全スイッチが異常事態の下でうまく動作しなかった。このような状況の下で地震発生からしばらく経った後に電力会社の給電が再開すると、これらの電気製品が発熱し、火災を発生させてしまう。各家庭が広範に電化されている現在、このような地震等の異常時における電気製品の安全性を確保することは極めて重要である。
【０００３】
そこで、地震のときにその揺れを検出して壁埋め込み型コンセントに取り付けられた配線器具に対して電源の供給を遮断するようにする技術が提案されている（たとえば特許文献１）。この提案の配線器具は、そのプラグをコンセントに差し込んで、これを介して電気製品を使用する。そしてこの使用状態で配線器具内の振動検出器が振動を検知すると、同じく配線器具内の地震判定部が生活振動を取り除いて地震を判定する。この配線器具は、地震判定部が地震と判定したときにプラグから供給を受けた電気製品の電力を遮断する遮断回路を備えており、レセプタクルへの電力供給をこの時点から遮断するようになっている。
【０００４】
ところがこの提案では壁埋め込み型コンセントの上に特別の配線器具を挿着し、これに電気製品のプラグを差し込んで使用する。したがって、壁面に配置された壁埋め込み型コンセントから配線器具が更にその厚さ分だけ突出することになり、これに更に電気製品のプラグを挿着すると大きな空間を必要とする。また、コンセントの上に配線器具を挿着するので、この配線器具自体が安定性を欠く。このため配線器具の内部の振動を検知する装置部分が生活振動と地震の振動を判別することが困難となり、地震判定部が高価となって配線器具自体の価格が高価となるという問題があった。また、配線器具を容易にコンセントから取り外しできるので、子供のいたずら等によってこの配線器具自体が無くなってしまうこともあり、肝心の異常発生時に役立たない場合もあった。
【０００５】
【特許文献１】
特開２００２−３６７７３７号公報（第００１８段落、第００１９段落、図１）
【０００６】
【発明が解決しようとする課題】
そこで、壁面に組み込むコンセント自体に地震を検知する機構を内蔵する提案も行われている。ところが壁に埋め込むタイプのこのようなコンセントの大きさは規格化されている。たとえば、代表的な埋め込みタイプのコンセントは、プラグの差込口を２つ配置したもので、壁の平面と同一面の寸法が約４センチ×７センチの長方形となっていて、かなり小さい。このため、地震を検知する機構をその内部に配置すると、プラグの差込口を１つ犠牲にするしかない。しかもこのような配線器具は通常の壁埋め込み型コンセントと比べてかなり高額となるので、一軒の家に幾つも取り付けると費用が嵩むといった問題がある。もちろん、テーブルタップ等の増設用のコンセントを使用してプラグの差込口を増加させることは可能であるが、１つのコンセントから給電する電気容量には制限があり、これを越えるとコンセントのプラグの差し込まれた箇所（刃受け金具）が過度に発熱するおそれがあり危険である。また、１つのコンセントからテーブルタップを使って複数の部屋の電気製品に電力を供給するようにすることは、各部屋の独立性の点でも問題である。また、いわゆるタコ足配線は美観を損ねるだけでなく、電力容量との関係でコードが発熱する場合があり危険である。
【０００７】
以上、地震に対応したコンセントについてその問題を指摘したが、発熱を検知するコンセント等の異常時に電源を遮断する機能を備えた異常時対応壁埋め込み型コンセント全般について同様の問題があった。
【０００８】
そこで本発明の目的は、壁面にプラグの差込口を供え、比較的安価に異常時の電源遮断を実現できる異常時対応壁埋め込み型コンセントおよびこれを使用した配線システムを提供することにある。
【０００９】
【課題を解決するための手段】
請求項１記載の発明では、（イ）電源を遮断すべき異常を検出する異常検出手段と、（ロ）この異常検出手段が異常を検出したとき入出力間の電気的な接続を絶つスイッチ手段と、（ハ）このスイッチ手段の入力側と接続され、電源の供給側に一端を接続された電線の他端を接続する入力側電線接続手段と、（ニ）スイッチ手段の出力側に接続され異常検出手段の異常検出時に電源の供給を絶つプラグ接続端子と、（ホ）入力側電線接続手段と電気的に接続され、後続のコンセントに電源を供給する第１の出力側電線接続手段と、（へ）スイッチ手段の出力側に接続され、後続のコンセントに電源を供給する第２の出力側電線接続手段とを異常時対応壁埋め込み型コンセントに具備させる。
【００１０】
すなわち請求項１記載の発明では、異常時対応壁埋め込み型コンセントに後段のコンセントに対して配電盤側から単に電源を常に給電する端子等の手段を設けるだけでなく、異常検出手段が異常を検出したときに後続のコンセントに対して電源の供給を絶つ端子等の手段を設けることにした。これにより、後続の壁埋め込み型コンセントが異常時対応壁埋め込み型コンセントでない通常時対応壁埋め込み型コンセントであっても異常時に電気製品に対して電源の供給を同様に絶つことができる。このため、経済的な配線システムを構築可能である。
【００１１】
請求項２記載の発明では、請求項１記載の異常時対応壁埋め込み型コンセントで、異常検出手段は所定以上の大きさの地震を検出する地震検出手段であることを特徴としている。
【００１２】
すなわち請求項２記載の発明では、異常検出手段の検出する異常が地震である場合を示している。地震の場合には家屋の倒壊等によってコンセントに接続された電気製品による火災の発生の危険が大きい。本発明の異常時対応壁埋め込み型コンセントに通常の壁埋め込み型コンセントを接続することで、より多くの電気製品について火災の発生の危険を減少させることができる。
【００１３】
請求項３記載の発明では、請求項１記載の異常時対応壁埋め込み型コンセントで、異常検出手段は所定以上の大きさの地震およびコンセント内部の所定以上の温度のいずれかを検出する手段であることを特徴としている。
【００１４】
すなわち請求項３記載の発明では、異常検出手段の検出する異常がコンセント内部の過熱である場合を示している。末端側のコンセントに多量の電流が流れる場合には上流側のコンセントにも多くの電流が流れるので、これによって上流側の異常時対応壁埋め込み型コンセントが異常を検出すれば、この異常時対応壁埋め込み型コンセントだけでなく下流側のコンセントの通電を停止させることができ、経済的に安全性を高めることができる。
【００１５】
請求項４記載の発明では、（イ）電源を遮断すべき異常を検出する異常検出手段と、この異常検出手段が異常を検出したとき入出力間の電気的な接続を絶つスイッチ手段と、このスイッチ手段の入力側と接続され、電源の供給側に一端を接続された電線の他端を接続する入力側電線接続手段と、スイッチ手段の出力側に接続され異常検出手段の異常検出時に電源の供給を絶つプラグ接続端子と、入力側電線接続手段と電気的に接続され、後続のコンセントに電源を供給する第１の出力側電線接続手段と、スイッチ手段の出力側に接続され、後続のコンセントに電源を供給する第２の出力側電線接続手段とを備えた異常時対応壁埋め込み型コンセントと、（ロ）電源の供給側に一端を接続された電線の他端を接続する入力側電線接続手段と、この入力側電線接続手段と接続されたプラグ接続端子と、入力側電線接続手段と電気的に接続され、後続のコンセントに電源を供給する出力側電線接続手段とを備えた通常時対応壁埋め込み型コンセントと、（ハ）異常時対応壁埋め込み型コンセントの第２の出力側電線接続手段と通常時対応壁埋め込み型コンセントの入力側電線接続手段とを接続した導電性部材とを配線システムに具備させる。
【００１６】
すなわち請求項４記載の発明では、請求項１記載の発明としての異常時対応壁埋め込み型コンセントを使用することで通常時対応壁埋め込み型コンセントも異常時に同様にこれらに接続された電気製品に対する電源の供給を停止させることができ、安全性に優れた経済的な配線システムを構築することができる。ここで異常時対応壁埋め込み型コンセントと通常時対応壁埋め込み型コンセントの間を接続する導電性部材は、導電線とか導電板と呼ばれており、壁の内部でコンセント同士を電気的接続するものである。
【００１７】
請求項５記載の発明では、請求項４記載の配線システムで、通常時対応壁埋め込み型コンセントの出力側電線接続手段と他の通常時対応壁埋め込み型コンセントの入力側電線接続手段とを接続した導電性部材を更に具備することを特徴としている。
【００１８】
すなわち請求項５記載の発明では、異常時対応壁埋め込み型コンセントの後段に通常時対応壁埋め込み型コンセントを複数縦列に配置することで、これらすべてに対して異常時対応壁埋め込み型コンセントと同様の電源管理を行うことができる。これにより、配線システム全体をより安価に構成することができる。
【００１９】
請求項６記載の発明では、請求項４記載の配線システムで、異常検出手段は地震についての検出手段であり、異常時対応壁埋め込み型コンセントは異なった震度に対してそれぞれ用意されており、より震度の大きな地震で異常の検出を行う異常検出手段を備えた異常時対応壁埋め込み型コンセントの第２の出力側電線接続手段とこれよりも震度の小さな地震で異常の検出を行う異常検出手段を備えた異常時対応壁埋め込み型コンセントの入力側電線接続手段とが直接あるいは通常時対応壁埋め込み型コンセントを介して接続されていることを特徴としている。
【００２０】
すなわち請求項６記載の発明では、複数の異常時対応壁埋め込み型コンセントがそれぞれ異なった震度に対して異常の検出を行うように設定されている場合を示している。このような場合に配電盤あるいは電源に近い側をより震度の大きな地震で異常の検出を行う異常検出手段とすることで、何らかの障害で、より小さな地震に対して異常を検出すべき異常時対応壁埋め込み型コンセントがうまく動作しなくても他の異常時対応壁埋め込み型コンセントがより大きな地震で異常を検知した段階でこれよりも下流側の電源供給を遮断することができ、信頼性を高めた配線システムを構成することができる。
【００２１】
【発明の実施の形態】
【００２２】
【実施例】
以下実施例につき本発明を詳細に説明する。
【００２３】
図１は本発明の一実施例における異常時対応壁埋め込み型コンセントの構成の要部を表わしたものである。この異常時対応壁埋め込み型コンセント１０は、その装置本体裏面１１に電線接続用の第１〜第７の接続端子１２〜１８を配置している。これらは次のような電線を接続する。
【００２４】
第１の接続端子１２はこの壁埋め込み型コンセントに対して電源供給源となる交流の一方の電線を接続する。
第２の接続端子１３は後続の壁埋め込み型コンセントに常時通電される交流を供給する一方の電線を接続する。
第３の接続端子１４は後続の壁埋め込み型コンセントに異常時以外通電される交流を供給する一方の電線を接続する。
第４の接続端子１５はこの壁埋め込み型コンセントに常時通電される交流を供給する他方の電線を接続する。
第５の接続端子１６は後続の壁埋め込み型コンセントに常時通電される交流を供給する他方の電線を接続する。
第６の接続端子１７はこの壁埋め込み型コンセントにアース接地用の電線を接続する。
第７の接続端子１８は後続の壁埋め込み型コンセントにアース設置用の電線を接続する。
【００２５】
ただし、第１の接続端子１２と第２の接続端子１３は互いに電気的に接続されているので、両者は互いに反対の接続が可能である。第４の接続端子１５と第５の接続端子１６も互いに電気的に接続されているので、両者は互いに反対の接続が可能である。第６の接続端子１７と第７の接続端子１８も互いに電気的に接続されているので、両者は互いに反対の接続が可能である。
【００２６】
本実施例の異常時対応壁埋め込み型コンセント１０は、地震の異常と内部温度の異常の双方を検出できるようになっており、いずれかの異常が検出されると、コンセント本体に固定された樹脂２１Ａに一端を保持された固定片２２に対して可動片２３が図で矢印２４方向に移動する。これにより固定片２２と可動片２３からなる異常検出スイッチ２５の電気的な接続が遮断される。
【００２７】
ここで固定片２２は第１の接続端子１２と第２の接続端子１３に電気的に接続されており、可動片２３は第３の接続端子１４と内部温度の異常検出用のバイメタル２６の基部側の所定位置に電気的に接続されている。したがって、異常検出スイッチ２５が図示のように接続された異常が検出されていない状態では、第１〜第３の接続端子１２〜１４は互いに電気的に接続されている。
【００２８】
バイメタル２６の基部側の端部は、コンセント本体に固定された樹脂２１Ｂによって位置決めされた１対の刃受け金具２８、２９のうちの一方の図で下側に図示しない固定具で固定されている。１対の刃受け金具２８、２９はこの異常時対応壁埋め込み型コンセント１０に挿入する図示しない電気製品のプラグの刃の部分をそれぞれ挟持する金具である。一方の刃受け金具２８は、バイメタル２６と電気的に接続されており、他方の刃受け金具２９は第４および第５の接続端子１５、１６と電気的に接続されている。したがって、この異常時対応壁埋め込み型コンセント１０は異常検出スイッチ２５が異常を検出していない状態では１対の刃受け金具２８、２９から図示しないプラグを介して電気製品に電力が供給され、異常が検出された状態ではこの電気製品への電力の供給が遮断されることになる。
【００２９】
次に異常検出の機構を説明する。コンセント本体に固定された樹脂２１Ｃは図示のようにその断面が凸型をしており、図で下側を底部として図の上側を上部としている。凸型の下側に位置する比較的大きな空間３１には円柱状金属体３２の底部が、樹脂２１Ｃに下端部を固定された第１のスプリング３３によって上下および左右方向に揺動自在に保持されている。円柱状金属体３２の上部からはその中心軸の延長方向に突起３２Ａが突出している。凸型の上側に位置する比較的小さな空間３５内には、この空間３５を上下動自在に配置された錘３７がその上部と樹脂２１Ｃの間に配置された第２のスプリング３８によって下向きの力を与えられている。この錘３７の下部からは、その中心軸の延長方向に突起３７Ａが突出している。
【００３０】
図示しない初期位置設定機構は、この異常時対応壁埋め込み型コンセント１０の図示しないレバーを操作することによって動作する。このレバーを操作すると、円柱状金属体３２が図示しない部材によって押し下げられると共にその中心軸が錘３７の中心軸と一致する状態で円柱状金属体３２への下方向の力を解除する。これにより、円柱状金属体の突起３２Ａの先端が錘の突起３７Ａの先端と接触し、この状態で可動片２３が矢印２４方向と反対方向に移動して固定片２２と接触して停止する。これにより、何らの振動も発生していない状態で円柱状金属体３２が空間的に保持されることになる。この異常時以外の状態で、バイメタル２６の破線で示した上部２６Ａは円柱状金属体３２とわずかの間隔を置いて配置されている。
【００３１】
この後、地震が発生しその震度がこの異常時対応壁埋め込み型コンセント１０で予め設定している値よりも大きくなると、円柱状金属体３２の上下方向の振動あるいは横方向の振動が２つの突起３２Ａ、３７Ａの接触を保持できない状態となる。そして突起３２Ａが突起３７Ａから外れると円柱状金属体３２が上方向に移動し、錘３７は矢印２４で示す下方向に移動する。錘３７の矢印２４方向の移動に伴って図示しない機構が可動片２３を同様に矢印２４方向に移動させる。これにより可動片２３は固定片２２との電気的な接続を絶って、異常検出スイッチ２５がオフとなる。この結果、１対の刃受け金具２８、２９への電力供給が絶たれると共に、第３の接続端子１４への電力供給も絶たれることになる。
【００３２】
次に刃受け金具２８あるいは異常時対応壁埋め込み型コンセント１０の内部が何らかの原因で通常の温度よりも上昇した場合を説明する。このような温度上昇による刃受け金具２８の温度上昇はバイメタル２６に伝えられる。バイメタル２６は予め設定された温度まで上昇するとその上部２６Ａを円柱状金属体３２の方向に湾曲させてこれを押し、２つの突起３２Ａ、３７Ａの接触状態を解除させる。これにより、地震の震度が予め設定した値よりも大きくなった場合と同様にして錘３７が矢印２４で示す下方向に移動する。これにより可動片２３は固定片２２との電気的な接続を絶って、異常検出スイッチ２５がオフとなる。この結果、１対の刃受け金具２８、２９への電力供給が絶たれると共に、第３の接続端子１４への電力供給も絶たれることになる。
【００３３】
図２は、本実施例の異常時対応壁埋め込み型コンセントを使用した配線システムを適用する給電システムの一例を示したものである。家屋４１には外部から電力を供給する入り口としてのブレーカ（分電盤）４２が設けられており、内部のそれぞれの分岐ブレーカに系統別の電線４４〜４６が接続されている。この例では第１系統の電線４４は照明器具４７〜４９に接続されている。第２系統の電線４５はエアーコンディショナ５１に接続されている。第３系統の電線４６は本実施例の異常時対応壁埋め込み型コンセント１０と通常時対応壁埋め込み型コンセント５２１、５２２に接続されている。
【００３４】
図３は本実施例の配線システムの適用された第１の例を示したものである。なお、この図ではアース接地用の接続端子およびこれに接続される電線の図示を省略している。
【００３５】
異常時対応壁埋め込み型コンセント１０は、図２に示した第３系統の電線４６の一方を第１の接続端子１２に接続し、他方を第４の接続端子１５に接続している。第２の接続端子１３には電線を接続せず、その代わりに第３の接続端子１４に次の第１の通常時対応壁埋め込み型コンセント５２１用の電線５３１の一端を接続し、他端を第１の通常時対応壁埋め込み型コンセント５２１の第１の接続端子６２に接続し、第５の接続端子１６には次の第１の通常時対応壁埋め込み型コンセント５２１用の電線５３２の一端を接続しその他端を第１の通常時対応壁埋め込み型コンセント５２１の第４の接続端子６５に接続している。また、第１の通常時対応壁埋め込み型コンセント５２１の第２の接続端子６３には次の第２の通常時対応壁埋め込み型コンセント５２２用の電線５４１の一端を接続しその他端を第２の通常時対応壁埋め込み型コンセント５２２の第１の接続端子６２に接続している。更に、第１の通常時対応壁埋め込み型コンセント５２１の第５の接続端子６６には次の第２の通常時対応壁埋め込み型コンセント５２２用の電線５４２の一端を接続しその他端を第２の通常時対応壁埋め込み型コンセント５２２の第４の接続端子６５に接続している。
【００３６】
ここで第１および第２の通常時対応壁埋め込み型コンセント５２１、５２２の第１、第２、第４および第５の接続端子６２、６３、６５、６６はそれぞれ次のような電線を接続するようになっている。
【００３７】
第１の接続端子６２はこの壁埋め込み型コンセントに対して電源供給源となる交流の一方の電線を接続する。
第２の接続端子６３は後続の壁埋め込み型コンセントに常時通電される交流を供給する一方の電線を接続する。
第４の接続端子６５はこの壁埋め込み型コンセントに常時通電される交流を供給する他方の電線を接続する。
第５の接続端子６６は後続の壁埋め込み型コンセントに常時通電される交流を供給する他方の電線を接続する。
【００３８】
このように第１および第２の通常時対応壁埋め込み型コンセント５２１、５２２は内部に異常検出スイッチ２５を備えていないので、異常時対応壁埋め込み型コンセント１０における第３の接続端子１４に対応する接続端子を欠いた構成となっている。したがって、図３に示すように第１の通常時対応壁埋め込み型コンセント５２１の第１の接続端子６２に接続する電線５３１を異常時対応壁埋め込み型コンセント１０の第３の接続端子１４に接続すると、この異常時対応壁埋め込み型コンセント１０が異常を検出して対応するプラグへの給電をオフとしたとき、第１および第２の通常時対応壁埋め込み型コンセント５２１、５２２も対応するプラグへの給電をオフとすることになる。
【００３９】
図４は参考のために従来と同様の配線となる配線システムを示したものである。第１の通常時対応壁埋め込み型コンセント５２１の第１の接続端子６２に接続する電線５３１を異常時対応壁埋め込み型コンセント１０の第２の接続端子１３に接続することで、異常時対応壁埋め込み型コンセント１０の異常検出の有無に係らず、第１および第２の通常時対応壁埋め込み型コンセント５２１、５２２の対応するプラグへの給電は常にオンとなる。すなわち、地震が発生したような異常時に異常時対応壁埋め込み型コンセント１０は対応するプラグへの給電をオフにするが、第１および第２の通常時対応壁埋め込み型コンセント５２１、５２２はこれらに対応するプラグへの給電をオフにはしない。
【００４０】
以上の説明から了解されるように、図３に示す本実施例の配線システムを採用することで異常時対応壁埋め込み型コンセント１０と並列に接続される後続の通常時対応壁埋め込み型コンセント５２１、５２２を異常時対応壁埋め込み型コンセント１０と連動させてオン・オフ制御を行うことが可能になる。
【００４１】
＜発明の第１の変形例＞
【００４２】
図５は本発明の第１の変形例による配線システムを表わしたものである。この第１の変形例では第３系統の電線４６の他に第４系統の電線５６が用意されており、第３系統の電線４６の方には「震度７」以上の地震があったときに異常を検出する異常時対応壁埋め込み型コンセント１０７が、並列接続の１段目に接続されている。また、第４系統の電線５６の方には「震度５」以上の地震があったときに異常を検出する異常時対応壁埋め込み型コンセント１０５が、並列接続の１段目に接続されている。一方の異常時対応壁埋め込み型コンセント１０７の後段には、第１および第２の通常時対応壁埋め込み型コンセント５２１、５２２が図３と同一の接続構造で接続されている。他方の異常時対応壁埋め込み型コンセント１０５の後段には、第３および第４の通常時対応壁埋め込み型コンセント５２３、５２４が図３と同一の接続構造で接続されている。
【００４３】
これにより、この第１の変形例の配線システムでは「震度５」以上で「震度７」未満の地震が発生したとき、異常時対応壁埋め込み型コンセント１０５と第３および第４の通常時対応壁埋め込み型コンセント５２３、５２４がそれらの給電を一斉に停止する。また、震度７以上の地震が発生した場合には２つの異常時対応壁埋め込み型コンセント１０５、１０７だけでなく、４つの通常時対応壁埋め込み型コンセント５２１〜５２４がそれらの給電を一斉に停止することになる。このように地震の程度に応じた配線システムを経済的に作成することができる。なお、この第１の変形例では異常な温度になったときの動作の説明を省略している。
【００４４】
＜発明の第２の変形例＞
【００４５】
図６は本発明の第２の変形例による配線システムを表わしたものである。この第２の変形例では、「震度７」以上の地震があったときに異常を検出する異常時対応壁埋め込み型コンセント１０７の次の段に第１の通常時対応壁埋め込み型コンセント５２１を接続し、その次の段に「震度５」以上の地震があったときに異常を検出する異常時対応壁埋め込み型コンセント１０５を接続している。そして更に次の段に第２の通常時対応壁埋め込み型コンセント５２２を接続し、その次の段に「震度３」以上の地震があったときに異常を検出する異常時対応壁埋め込み型コンセント１０３を接続している。その更に次に第３の通常時対応壁埋め込み型コンセント５２３を接続している。
【００４６】
これにより、「震度３」以上「震度５」未満の地震が発生すると、異常時対応壁埋め込み型コンセント１０３と第３の通常時対応壁埋め込み型コンセント５２３の給電が停止する。また、「震度５」以上「震度７」未満の地震が発生すると、異常時対応壁埋め込み型コンセント１０３と異常時対応壁埋め込み型コンセント１０５ならびに第２および第３の通常時対応壁埋め込み型コンセント５２２、５２３の給電が停止することになる。更に「震度７」以上の地震が発生した場合には図６に示したすべての埋め込み型コンセント１０３、１０５、１０７、５２１〜５２３の給電が停止することになる。
【００４７】
なお、この図６に示した接続構造では大きな震度の地震を検出する異常時対応壁埋め込み型コンセント１０ほど図２に示したブレーカ４２あるいは配電盤に近い側に配置されている。したがって、何らかの原因で震度の小さな側の異常時対応壁埋め込み型コンセント１０が給電をオフにする制御に失敗しても、震度が大きくなってより大きな震度を検出する異常時対応壁埋め込み型コンセント１０が動作すれば、それよりも後段ですべての給電が遮断される。したがって、より信頼性の高い異常時対策を採ることが可能になる。
【００４８】
なお、実施例および各変形例では地震と壁埋め込み型コンセントの温度上昇の異常について本発明を適用したが、他の異常を検出した場合にも本発明を同様に適用することができる。また、地震や異常温度の検出には各種の方法があり、実施例で示した検出原理あるいは検出の構成に限定されるものではないことは当然である。
【００４９】
【発明の効果】
以上説明したように請求項１〜請求項６記載の発明によれば、異常時対応壁埋め込み型コンセントに後段のコンセントに対して配電盤側から単に電源を忠実に給電する端子等の手段を設けるだけでなく、異常検出手段が異常を検出したときに後続のコンセントに対して電源の供給を絶つ端子等の手段を設けることにしたので、後続のコンセントが異常時対応壁埋め込み型コンセントでない通常時対応壁埋め込み型コンセントであっても異常時に電気製品に対して電源の供給を同様に絶つことができ、経済的な配線システムを構築可能であり、これにより通電に伴うトラブルの発生を大幅に減少させることができる。
【００５０】
また請求項６記載の発明によれば、配電盤あるいは電源に近い側をより震度の大きな地震で異常の検出を行う異常検出手段とすることで、何らかの障害で、より小さな地震に対して異常を検出すべき異常時対応壁埋め込み型コンセントがうまく動作しなくても他の異常時対応壁埋め込み型コンセントがより大きな地震で異常を検知した段階でこれよりも下流側の電源供給を遮断することができるので、信頼性を高めた配線システムを安価に構成することができる。
【図面の簡単な説明】
【図１】本発明の一実施例における異常時対応壁埋め込み型コンセントの構成の要部を表わした説明図である。
【図２】本実施例の配線システムを適用する給電システムを示したシステム構成図である。
【図３】本実施例の配線システムの適用された第１の例を示したシステム構成図である。
【図４】異常時対応壁埋め込み型コンセントを従来と同様に使用した配線システムのシステム構成図である。
【図５】本発明の第１の変形例による配線システムを表わしたシステム構成図である。
【図６】本発明の第２の変形例による配線システムを表わしたシステム構成図である。
【符号の説明】
１０  異常時対応壁埋め込み型コンセント
１２、６２  第１の接続端子
１３、６３  第２の接続端子
１４  第３の接続端子
１５、６５  第４の接続端子
１６、６６  第５の接続端子
２２  固定片
２３  可動片
２５  異常検出スイッチ
２６  バイメタル
２８、２９  刃受け金具
３２  円柱状金属体
３２Ａ、３７Ａ  突起
３３  第１のスプリング
３７  錘
５２  通常時対応壁埋め込み型コンセント
５３、５４  電線
【図１】
2004304964.tif 000003
【図２】
2004304964.tif 000004
【図３】
2004304964.tif 000005
【図４】
2004304964.tif 000006
【図５】
2004304964.tif 000007
【図６】
2004304964.tif 000008